(57)【要約】【課題】スプールフリーにして仕掛けを落下させている状態で、直ちにスプールの回転に対して所望の制動力を付与することが可能な魚釣用リールを提供する。【解決手段】本発明に係る魚釣用リールは、リール本体５の左右側板５Ａ，５Ｂ間に設けられ、釣糸が巻回されるスプール７と、スプール７と共に回転駆動される駆動軸に対して制動力を付与する制動力調整装置とを有する。制動力調整装置の操作部材６０は、駆動軸に制動力を作用させる１回転範囲内におけるスプールに巻回される釣糸の張力が、２５０ｇｆ以上の強制動域に到達するように設定されている。【選択図】  図１
2015226475.tif 000002
【特許請求の範囲】
【請求項１】
リール本体の左右側板間に設けられ、釣糸が巻回されるスプールと、
前記スプールと共に回転駆動される駆動軸に対して制動力を付与する制動力調整装置と、を有し、
前記制動力調整装置の操作部材は、前記駆動軸に制動力を作用させる１回転範囲内における前記スプールに巻回される釣糸の張力が、２５０ｇｆ以上の強制動域に到達するように設定されていることを特徴とする魚釣用リール。
【請求項２】
前記操作部材の回転操作による強制動域到達は、操作部材の半回転範囲内に設定されていることを特徴とする請求項１に記載の魚釣用リール。
【請求項３】
前記制動力調整装置は、前記操作部材を回転操作した際、クリック音を発生するクリック機構を備えており、
前記制動力調整装置及びクリック機構は、１クリック音毎の制動力変化が１０ｇｆ〜５０ｇｆに設定されていることを特徴とする請求項１又は２に記載の魚釣用リール。
【請求項４】
前記リール本体及び操作部材の少なくともいずれか一方には、制動力の大きさを視認可能にする目印が付されていることを特徴とする請求項１から３のいずれか１項に記載の魚釣用リール。
【請求項５】
前記操作部材は、リール本体の側板の表面から突出する円筒状に形成されており、その突出高さが７ｍｍ〜１５ｍｍ、外径が１０ｍｍ〜２５ｍｍに設定されていることを特徴とする請求項１から４のいずれか１項に記載の魚釣用リール。
【請求項６】
前記操作部材は、前記スプールを回転駆動するハンドルを有するハンドル軸の上部前方の側板に配設されていることを特徴とする請求項５に記載の魚釣用リール。
【請求項７】
前記リール本体には、前記スプールを回転駆動する駆動モータが配設されており、前記操作部材は、スプールに釣糸を均等に巻回するレベルワインド装置のウォーム軸と同軸上に配設されていることを特徴とする請求項１から６のいずれか１項に記載の魚釣用リール。
【発明の詳細な説明】
【技術分野】
【０００１】
本発明は、魚釣用リールに関し、詳細には、スプールの回転に制動力を付与する制動力調整装置を組み込んだ魚釣用リールに関する。
【背景技術】
【０００２】
従来、両軸受けタイプの魚釣用リールには、例えば、特許文献１に開示されているように、スプール軸やスプール軸と連動して一体回転する駆動軸（以下、駆動軸とも称する）に対し、スラスト方向に押圧力を作用させてスプールのフリー回転に制動力を加える制動力調整装置が組み込まれている。
【０００３】
通常、このような制動力調整装置は、特許文献１に開示されているように、回転操作部材（以下、操作部材と称する）が螺合結合されており、操作部材を回転操作することで、ネジのピッチに応じて操作部材に設けられた摩擦部材を軸方向に移動させ、駆動軸の端面に所望の押圧力を作用させて駆動軸に対して制動力を付与する。このため、スプールのフリー回転に対して所望の制動力を作用させることが可能となる。
【先行技術文献】
【特許文献】
【０００４】
【特許文献１】実開昭６４−３２０６５号
【発明の概要】
【発明が解決しようとする課題】
【０００５】
ところで、上記したタイプの魚釣用リールを船釣りの特殊な釣法で使用する場合、機能的に満足する操作が行えないことがある。例えば、仕掛けとして大型のサビキ針を用い、これを落下させて所定の層（ベイト層）で小型の魚（ベイトフィッシュ）を引っ掛け、そのまま更に落下させて、ベイト層のすぐ下に回遊する大型魚を釣る釣法がある。このような釣法は、「落とし込み釣り」、或いは「食わせサビキ釣り」とも称されており、仕掛けを速やかにベイト層まで落下させ、ベイト層ではベイトフィッシュが掛り易く、かつ、バラさないように、仕掛けを滑らかにゆっくりと落下させることが要求される。
【０００６】
従来の魚釣用リールを用いて上記した釣法を行なうにあたっては、釣人は、クラッチ機構をＯＮ状態からＯＦＦ状態に切り換えて仕掛けを落下させ、ベイト層の近くまで釣糸が放出された段階でスプールにサミングをする等の操作をしている。
【０００７】
しかし、ベイト層の近くでサミングによってスプールに制動力を加えて仕掛けの落下を低速化させ、ベイト層の範囲で滑らかにゆっくりと仕掛けを落下させることは、操作上、難しい。すなわち、仕掛けを速やかにベイト層まで落下させるため、スプールは高速で回転しており、この状態でサミングして制動力を付与することは、摩擦が大きいことから指で強く押し付けて大きい制動力を発生させることが難しく、安定した制動力を付与し続けることも難しい。また、サミング操作では、仕掛けを投入する毎の制動力の付与にバラツキが生じ、常に一定の状態で仕掛けを落下させることも難しい。
【０００８】
また、上記したような駆動軸に対してスラスト方向に押圧力を作用させる制動力調整装置は、制動力調整が細かく設定（操作部材を１回転させた際の制動力変化が小さい）されているため、スプールフリー回転状態から大きな制動力を作用させるためには、操作部材を多数回転して締め付け操作する必要があり、更には、操作部材が多回転することから、現在の制動力の大きさを直ちに把握することも難しい。このため、従来の制動力調整装置は、上記したような釣法では役立たない。
【０００９】
本発明は、上記した問題に着目してなされたものであり、スプールフリーにして仕掛けを落下させている状態で、直ちにスプールの回転に対して所望の制動力を付与することが可能な魚釣用リールを提供することを目的とする。
【課題を解決するための手段】
【００１０】
上記した目的を達成するため、本発明に係る魚釣用リールは、リール本体の左右側板間に設けられ、釣糸が巻回されるスプールと、前記スプールと共に回転駆動される駆動軸に対して制動力を付与する制動力調整装置と、を有し、前記制動力調整装置の操作部材は、前記駆動軸に制動力を作用させる１回転範囲内における前記スプールに巻回される釣糸の張力が、２５０ｇｆ以上の強制動域に到達するように設定されていることを特徴とする。
【００１１】
上記した構成の魚釣用リールを用いて落とし込み釣りを行なう場合、クラッチ機構をＯＦＦにしてスプールをフリー回転状態で仕掛けを落下させ、仕掛けが所定の層（ベイト層）に近づいた段階で制動力調整装置の操作部材を回転操作する。前記操作部材は、スプールの回転と共に回転駆動される駆動軸に作用する制動力に関し、１回転範囲内における釣糸の張力が、２５０ｇｆ以上の強制動域に到達するように設定されているため、操作部材を複数回転させなくても、スプールの回転に対して直ちに強い制動力を作用させることが可能となる。すなわち、仕掛けがベイト層に到達するまでは、制動力を作用させずに高速で仕掛けを落下させることができ、ベイト層に近づいたときに操作部材を１回転以内で回転操作することで、回転状態にあるスプールに対して強制動力を直ちに作用させて仕掛けの落下速度をスムーズに低下させることができる。そして、仕掛けは、そのままベイト層をゆっくり、かつ滑らかに落下することから、ベイトフィッシュを仕掛けに引っ掛け易くすることができ、さらに、その下の大型魚が回遊する層に落下させて行くことができる。
【００１２】
上記のように、強制動状態に至るまでの操作部材の回転操作量を１回転範囲内にしたことで、高速で落下している仕掛けに対して直ちに制動力を作用させ、その後、ゆっくり、かつスムーズに落下するような制動状態に移行できるとともに、釣人はこのような状態を感覚的に把握することが容易になるため、仕掛けを投入する毎に、ベイトフィッシュが掛り易い状況を安定して再現することが可能となる。また、スプールに対して安定した（一定の）制動力を作用し続けることができるため、仕掛けに掛かったベイトフィッシュをばらすことも軽減される。
【００１３】
なお、上記した構成において、釣糸の張力が２５０ｇｆとは、スプールに釣糸Ｌをフランジ７ｄ（図３参照）の外径に対して１００％（釣糸巻径＝スプールのフランジ外径）巻回した状態において、リールを釣竿を装着しない状態で設置して下方に垂下して釣糸の先端に２５０ｇの錘を締結して落下させたときに停止状態のスプールが回転し始める状態（２５０ｇ未満ではスプールは回転しない）を意味しており、本発明では、釣糸に作用する張力によって、駆動軸に作用する制動力を特定している。例えば、具体的には、釣竿を装着しない状態でリール本体を水平面に設置し、釣糸案内体に釣糸を挿通してそのまま釣糸を下方に垂下し、２５０ｇの錘を締結してスプールが回転し始めるときの釣糸の張力（制動力）を２５０ｇｆと特定する。また、本発明では、スプールが制動力に抗して回転する釣糸の張力が２５０ｇｆ以上であるときを「強制動域」「強制動状態」と定義し、摩擦部材等を備えた制動部及び操作部材が、制動力を発生させる回転位置を起点として１回転する範囲内（例えば、１２０°の回転、１８０°の回転、２７０°の回転等）において、２５０ｇｆ以上の制動力（強制動力）が発現できるように構成されていれば良い。
【発明の効果】
【００１４】
本発明によれば、スプールフリーにして仕掛けを落下させている状態で、直ちにスプールの回転に対して所望の制動力を付与することが可能な魚釣用リールが得られる。
【図面の簡単な説明】
【００１５】
【図１】本発明に係る魚釣用リールの一実施形態を示す平面図。
【図２】図１に示した魚釣用リールをハンドル側から見た側面図。
【図３】図１に示した魚釣用リールにおいて、スプールと連動回転するレベルワインド装置のウォームシャフトに装着された制動力調整装置を示す図。
【図４】図３のＡ−Ａ線に沿った断面図。
【図５】操作部材の回転量と制動力（釣糸の張力）との関係を示すグラフ。
【発明を実施するための形態】
【００１６】
以下、図面を参照しながら、本発明に係る魚釣用リールの実施形態について説明する。
図１から図４は本発明に係る魚釣用リールの一実施形態を示す図であり、図１は平面図、図２はハンドル側から見た側面図、図３はスプールと連動回転するレベルワインド装置のウォームシャフトに装着された制動力調整装置を示す図、そして、図４は図３のＡ−Ａ線に沿った断面図である。なお、以下に説明する実施形態は、魚釣用リールとして、スプールを駆動モータによって回転駆動する、いわゆる電動タイプのものを例示する。
【００１７】
図１に示すように、本実施形態に係る魚釣用リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、回転可能に支持されたハンドル軸６ａに装着された手動ハンドル６が設けられており、左右側板５Ａ，５Ｂ間には、釣糸が巻回される両側にフランジ７ｄ，７ｄを形成したスプール７が回転可能に支持されている。なお、スプール７は、その中心にスプール軸７ａが挿通され、その両端で軸受７ｂを介して回転可能に支持されている。また、左右のフレーム３ａ，３ｂ間には、リール本体５を釣竿に装着するためのリール脚５ａが形成されている。
【００１８】
本実施形態では、スプール７の前方側における左右側板５Ａ，５Ｂ間に駆動モータ８を保持しており、スプール７は、手動ハンドル６の巻取り操作および駆動モータ８の回転駆動によって、動力伝達機構１０を介して釣糸巻取り方向に回転駆動される。この場合、駆動モータ８については、スプール７の内部に設置する構成であっても良いが、本実施形態のように、スプール７の前方に設置することで、スプール７の糸巻き量を確保しつつ、リール本体５を可及的にコンパクト化することが可能となる。
【００１９】
前記動力伝達機構１０は、駆動モータ８の回転を減速してスプール軸７ａに伝達する機能、駆動モータ８の回転駆動時に手動ハンドル６を連れ回ししない機能、及び手動ハンドル６の逆回転を防止する機能等を備えており、このような機能を備えた動力伝達機構は一般的に公知であるため、ここでは詳細な構成については省略する。
【００２０】
なお、図１及び図３において、符号１２は、ハンドル軸６ａに回転可能に支持されたドライブギア、符号１４は、ドライブギア１２に噛合するピニオンギアであり、これらは上記した動力伝達機構１０の一部を構成する。また、動力伝達機構１０については、左側板５Ａ側に配設されていても良いし、右側板５Ｂ側に配設されていても良く、或いは、左右側板それぞれに振り分けて配設されていても良い。
【００２１】
前記ハンドル軸６ａとドライブギア１２との間には、魚釣時にスプール７から釣糸が繰り出された際にスプール７の回転にドラグ力を付与する公知のドラグ機構１５が装着されている。このドラグ機構１５によるドラグ力は、ハンドル軸６ａに配設された星型のドラグ調整ノブ（スタードラグ）１５ａを回転操作することにより調整される。
【００２２】
前記スプール７の前方の左右側板５Ａ，５Ｂ間には、スプール７に対して均等に釣糸を巻回する機能を備えた公知のレベルワインド装置２０が設置されている。
レベルワインド装置２０は、図３に示すように、左右側板間に保持された筒状部２１の内部に収容され、左右側板間に回転可能に支持されたウォーム軸（スプールと共に回転駆動される駆動軸を構成する）２２と、筒状部２１に形成された長孔２１ａを介してウォーム軸２２の外面に形成された螺旋溝２２ａに係合する係合ピン２３ａを保持した釣糸案内体２３とを備えており、スプール７から繰り出される釣糸は、釣糸案内体２３に装着された釣糸挿通部２３ｂに挿通される。
【００２３】
前記ウォーム軸２２は、その両端側で左右フレーム３ａ，３ｂに対して、カラー部材２２ｂを介して回転可能に支持されている。また、ウォーム軸２２の左フレーム３ａから突出する部分には、入力ギア２５が取り付けられており、ウォーム軸２２は、前記スプール７と入力ギア２５との間に設置される動力伝達部（ギアトレイン等によって構成される）２６を介してスプールの回転と共に回転駆動される。このため、前記釣糸案内体２３（釣糸挿通部２３ｂ）は、スプール７の回転と共に連動回転されるウォーム軸２２の螺旋溝２２ａと係合ピン２３ａとの係合関係により、スプールの前方で左右方向に往復駆動し、釣糸巻き取り時では、釣糸はスプール７に対して均等に巻回される。また、仕掛けを落下すべくクラッチ機構をＯＦＦにしてスプール７がフリー回転状態になったとき、釣糸案内体２３は左右方向に往復駆動されるため、放出される釣糸に対する抵抗が軽減される。なお、前記左右側板間には、ウォーム軸２２と平行にシャフト２７が取り付けられており、前記釣糸案内体２３にシャフト２３が挿通されることで、釣糸案内体２３は左右往復駆動時に回り止めされる。
【００２４】
本実施形態では、後述するように、ウォーム軸２２の右側板側、すなわち、ハンドル６が装着されている側にウォーム軸２２の回転に対して所望の制動力を付与する制動力調整装置５０が配設されている。
【００２５】
前記リール本体５の上部、特に本実施形態では、リール本体５を構成する左右側板５Ａ，５Ｂ間のスプール７の上方に、駆動モータ８を制御する制御部を収容した箱型の制御ケース４０が配設されている。前記制御部は、全体の動作を制御するＣＰＵ（Central Processing Unit）、糸長を算出したり、駆動モータの出力を可変制御するための各種プログラムや設定情報などを記憶したＲＯＭ（Read Only Memory）、一時記憶領域としてのＲＡＭ（Random Access Memory）等を実装した制御基板（マイクロコンピュータ）及び各種駆動回路を実装した回路基板を備えており、制御基板は、各作動要素との間で信号の送受信がなされ、電動リールとしての動作を制御する。
【００２６】
前記リール本体５内には、前記ピニオン１４を軸方向に移動させてスプール７を釣糸巻き取り状態／フリー回転状態に切り換える公知のクラッチ機構４１が配設されている。このクラッチ機構４１は、前記動力伝達機構１０に介在されて手動ハンドル６および駆動モータ８からスプール７への動力伝達を継脱する機能を備えており、本実施形態では、右側板５Ｂ側に設置されている。このクラッチ機構は、右側板内に収容されたクラッチプレート４２と、スプール７の後方側の左右側板５Ａ，５Ｂ間に橋設され、動力伝達をＯＮ状態からＯＦＦ状態に切り換えるクラッチＯＦＦ切換部材４３と、右側板５Ｂの表面部分で揺動可能に支持され、動力伝達をＯＦＦ状態からＯＮ状態に切り換えるクラッチＯＮ切換部材４４とを備えている。前記クラッチＯＦＦ切換部材４３とクラッチＯＮ切換部材４４は、クラッチプレート４２に係合するとともにクラッチＯＮ位置とクラッチＯＦＦ位置で振り分け保持されており、クラッチプレート４２を回動させることで、前記ピニオンギア１４に係合するアーム４５を介してピニオンギア１４を軸方向に移動させる。これにより、ピニオンギア１４と、スプール７と共に回転する係合部７ｃとの継脱がなされ、クラッチＯＮ／ＯＦＦが切り換えられる。
【００２７】
前記リール本体５には、駆動モータ８に対して電力を供給するための給電部４７が設けられている。この給電部４７は、左側板５Ａの前方側の下面領域に形成されており、この給電部４７に対しては、着脱可能な携帯バッテリ（図示せず）を装着したり、或いは、足元に置いたバッテリや釣り船に設置されている電源部から電力供給される給電コードが装着される。
【００２８】
また、スプール７上方の左右側板５Ａ，５Ｂ間には（本実施形態では、制御ケース４０の後方部分に）、駆動モータ８の出力を調整する操作部材４８が配設されている。本実施形態の操作部材４８は、制御ケース４０の後方で回動操作可能に支持されており、図１に示すように、表面部分に指を押し付けて転がすような操作（回動操作）を可能とする左右一対の円筒状のダイヤル操作部４８ａと、ダイヤル操作部４８ａの間に設けられ、指で摘まんで回動操作が行えるレバー操作部４８ｂとを備えている。なお、このような操作部材については、その配設位置、形状等の構成については特に限定されることはない。
【００２９】
次に、ウォーム軸２２の右側板側に配設され、ウォーム軸２２の回転に対して所望の制動力を付与する制動力調整装置５０の構成について説明する。
【００３０】
前記制動力調整装置５０は、ウォーム軸２２との間で摩擦力を生じさせ、ウォーム軸２２に対して制動力を付与する制動部５１と、制動部５１の制動力を調整する操作部材６０とを備えている。
【００３１】
前記制動部５１は、操作部材６０の１回転域内で強制動力（釣糸の張力が２５０ｇｆ以上）が達成できるように構成されている。本実施形態の制動部５１は、右カバー４ｂの内面に突出形成された円筒部４ｅ内に収容されており、ウォーム軸２２の右端部２２ｄに嵌入固定されたカラー部材（ＳＵＳ等の金属によって構成される）２２ｆの端面に対して制動力を付与するようになっている。すなわち、ウォーム軸２２の端部にカラー部材２２ｆを一体的に嵌入することで制動面積（圧接摩擦面積）を多く確保している。
【００３２】
前記制動部５１は、例えばカーボンを主材として構成され、前記カラー部材２２ｆと面接する摩擦板５２と、前記円筒部の内面に軸方向に沿って形成された溝に係止されて軸方向に移動可能で回り止めされたワッシャ５３と、ワッシャ５３に面接し軸方向に弾性を有するワッシャ（スプリングワッシャ又はゴムワッシャ）５４、及びワッシャ５４に当て付く平板ワッシャ５５とを備えている。
【００３３】
一方、前記操作部材６０の中心部には、軸方向に延在し、先端領域に雄螺子部６１ａが形成された支軸６１が一体回転可能に設けられている。この雄螺子部６１ａは、右カバー４ｂと一体化された筒部４ｆの内面に形成された雌螺子部４ｇに螺合されており、これらの螺合結合におけるピッチは、操作部材６０の１回転当たりの軸方向への移動量が大きくなるように設定されている（１回転の範囲内で、制動力が上述した強制動域に到達できるように構成されている）。
【００３４】
そして、支軸６１の端部には、前記平板ワッシャ５５が当接する状態で介在しており、操作部材６０を回転操作して支軸６１がウォーム軸２２側の軸方向に移動した際、前記ワッシャ５４及びワッシャ５３を介して摩擦板５２をカラー部材２２ｆの端面を圧接して、ウォーム軸２２の回転に所望の制動力（摩擦制動）を生じさせるようになっている。なお、前記支軸６１には、前記雄螺子部の端部に係止して操作部材６０が軸方向に抜けることを規制する（操作部材６０の回転を規制する）リテーナ５７が配設されている。
【００３５】
本実施形態では、上記した強制動状態は、操作部材６０を基準位置から１８０°回転操作することで得られるように構成されており、更にそこから１８０°回転させると、それ以上は回転できないように設定されている（基準位置から３６０°回転させると制動状態がＭａｘとなり、それ以上は回転できないようになっている）。また、操作部材６０を緩めると制動力も弱まり、上記したリテーナ５７により、基準位置から緩む方向への回転が規制されるようになっている。
【００３６】
上記した制動力を調整する操作部材６０は、右側板（右カバー４ｂ）の表面から突出するように設けられている。具体的に、本実施形態の操作部材６０は、ハンドル軸６ａに対して上部かつ前方側に位置するように配設されており、ハンドル側の手で操作し易い位置に配設されている。すなわち、クラッチ機構をＯＦＦしてスプールをフリー回転状態にして仕掛けを落下させるとき、ハンドル側の手（右手）は、ハンドル操作を行なわないことからフリーな状態になっており、反ハンドル側の手（左手）は、安定化を図るために左側板５Ａを保持するケースがあることから、ハンドル側の側板で操作性が良好となる位置（ハンドル軸６ａに対して上部かつ前方側）に操作部材６０を配設することが好ましい。
【００３７】
なお、本実施形態における魚釣用リールは、電動タイプであり、かつ、レベルワインド装置２０のウォーム軸２２上に操作部材６０を配設していることから、その位置は、ハンドル軸６ａに対して上部、かつ前方側となり、実釣時において素早い制動力調整操作が行えるようになる。
【００３８】
また、本実施形態の操作部材６０は、制動力調整操作が行い易いように、円筒形状に形成されている。この場合、円筒形状の操作部材６０は、摘まみ易さ及び指を押し付けての回転操作（図１、図２の１点鎖線で示した指参照）が容易に行えるような大きさであることが好ましく、具体的には、右側板の表面からの操作部材６０の突出高さＨを７ｍｍ〜１５ｍｍとし、かつ、その操作部材の外径Ｄを１０ｍｍ〜２５ｍｍにすることが望ましい。すなわち、高さをある程度確保（７ｍｍ〜１５ｍｍ）することで摘まみ易くなるとともに、指を押し付けて転がす操作がし易くなり、径を大きくする（１０ｍｍ〜２５ｍｍ）ことで、指を押し付けての回動操作が容易に行えるとともに、後述するクリック機構を組み込んだ際、１クリック毎に生じるクリック音の回転角度を大きく設定することが容易に行えるようになる。
【００３９】
ここで、本実施形態における操作部材６０の回転量と制動力（釣糸の張力）との関係について説明する。
【００４０】
本発明における制動力調整装置５０は、上述したように、制動部５１及び操作部材６０が、操作部材６０を１回転する範囲内で、２５０ｇｆ以上の制動力（強制動力）に到達できるように構成されていれば良い。
この場合、制動力を２５０ｇｆ以上に設定したのは、複数のテスターによって実際に落とし込み釣りを実施したときに、操作する上で好ましい結果が得られたことに基づく。すなわち、通常、落とし込み釣りでは、ある程度の重さを有する錘（６０号〜１５０号）を付けて仕掛けを落下させるが、本発明では、所定のベイト層の手前でスプールの回転に制動力を付与して落下スピードを減速させるようにしている。この際、釣り場の状況（潮流の大小、使用する錘の形状や負荷など）に応じて、仕掛けが落下する速度は異なるものの、様々な状況下で実験したところ、操作部材６０を１回転する範囲内で少なくとも２５０ｇｆの制動力に到達できるようにすることで、所定のベイト層の手前で仕掛けの落下スピードを低下させて、ベイト層内で仕掛けをゆっくり、かつスムーズに落下させることが可能となる。
【００４１】
すなわち、様々な釣り場で検証したところ、制動力が２５０ｇｆより小さいと、落下する仕掛けの速度を好ましい状況で低下させることがし難くなるケースが多くなり、また、操作部材を１回転以上回して強制動域に到達させるのでは、釣人にとって操作部材の回転位置と制動状態との関係を明確に把握することができなくなってしまう。
【００４２】
なお、制動力の上限（最大値）については、特に限定されることはないが、余り高く設定し過ぎると、操作部材６０を最大に回転操作して強制動状態にしたときに仕掛けが停止してベイト層を落下しない状況になることが考えられる。特に、潮流が無い状況や、軽い錘を付けた場合、制動力が大き過ぎると、仕掛けの落下が停止する可能性があり、そのような状況にならないように操作部材６０を回転操作しようとすると、操作回転角度を小さくしながら調整する必要があり、操作性が低下する可能性がある。実際に操作性を考慮したところ、制動力の上限値（最大値）については１０００ｇｆ程度に設定することが望ましい。
【００４３】
本実施形態における操作部材６０の回転量と制動力（釣糸の張力）との関係は、操作性が良好となるように、操作部材６０を半回転（１８０°の回転）させることで、強制動域に到達できるように設定されている。この場合、操作部材６０の回転可能な領域は、上記したように、リテーナ５７を配設したり、ネジピッチの設定や長さを規制する等することで所定の角度（操作部材の回転位置と制動状態との関係を明確に把握できるように３６０°以下に設定しておくことが望ましい）となるように制限されており、その制限領域内において、制動力が作用しない基準位置から１８０°回転したときに強制動域に到達するように設定されている。もちろん、強制動域に到達する操作角度と制限領域の角度は、両者を１８０°に設定する等、３６０°の範囲内で一致していても良い。
【００４４】
また、前記操作部材６０は、前方側に回転操作したとき（図２に示す状態で時計回り方向へ回転操作）に制動力が高くなるように構成されているのが望ましい。さらに、制動力が作用しない基準位置、及び、強制動域に到達する位置（本実施形態では、基準位置から１８０°回転した位置）を視認できるように、リール本体及び操作部材の少なくともいずれか一方に、現在の制動力の大きさを視認できる目印を付しておくことが望ましい。例えば、本実施形態では、操作部材６０の端面６０ａに着色した突起６０ｂを形成してあり、操作部材６０を組み込む際、制動部５１との関係で、突起６０ｂの位置が水平位置Ｐ１にあるとき制動力が作用しない基準位置、１８０°回転して水平位置Ｐ２にあるときに制動力が強制動域（２５０ｇｆ）に到達するように設定し、その回転範囲内において操作部材６０の回転位置を目視でき、かつ、手の感触で把握できるようにしている。
【００４５】
なお、上記したような目印は、例えば、リール本体（右カバー）の操作部材６０の基端領域（図１の符号Ｒで示す表面領域）に、所定角度毎（例えば１０°毎）に目盛を付しても良いし、或いは、操作部材６０の操作表面（外周面）６０ｃにレバー状の突起を形成して感覚的な回転位置を把握できるものであっても良い。
【００４６】
図５は、本実施形態における操作部材６０の回転位置と、ウォーム軸２２に作用する制動力（釣糸の張力）との関係を示している。制動力が作用しない０基準位置は、図２のＰ１の位置にあり、そこから操作部材を１８０°前方に回転操作したとき（目印となる突起６０ｂが図２のＰ２の位置にきたとき）に制動力が２５０ｇｆ（強制動）となるように設定されている。この場合、本実施形態では、操作部材６０は、３６０°＋３６０°の回転範囲で軸方向に進退できるように組み込まれており、前記所定の角度（３６０°）は、制動力がゼロとなる遊び領域（Ｒ０）として操作に多少の遊度を持たせている。
【００４７】
そして、前記制動部５１及び操作部材６０は、操作部材６０の目印（突起６０ｂ）が図２のＰ１の基準位置からＰ２の位置まで（強制動力発揮領域Ｒ１）回転操作されたとき、制動力を直線状に変化させ、１８０°回転した位置で強制動力（２５０ｇｆ）に到達するように設定されている。この場合、操作部材６０は、１８０°以上回転操作することが可能となっているが（強制動領域Ｒ２）、１８０°以上の回転領域では、制動力は曲線状に上昇し、最終的な回転停止位置（基準位置から３６０°の位置）で１０００ｇｆの制動力が得られるように設定されている。
【００４８】
また、前記制動力調整装置５０は、操作部材６０を回転操作した際、クリック音を発生するクリック機構を備えていることが望ましい。例えば、図３及び図４に示すように、クリック機構７０は、前記右カバー４ｂと一体化された筒部４ｆに対し、一対の基端部が固定され、基端部の反対側の一部に径方向に突出する突起７１ａが形成された環状のバネ部材７１と、操作部材６０の内面に周方向に亘って連続形成された凹凸６０ｅとによって構成することができる。すなわち、操作部材６０を回転操作することにより、突起７１ａと凹凸６０ｅの係合関係によって凹凸６０ｅのピッチ毎にクリック音を生じさせることが可能である。
【００４９】
なお、前記クリック機構７０によって生じるクリック音については、操作部材６０の回転位置による制動力の大きさを感覚的に把握させることが可能である。例えば、操作部材６０が基準位置Ｐ１にある状態で、釣人が操作部材６０を回転操作した際、１つのクリック音毎に制動力が向上する度合いが、通常の魚釣用リールに組み込まれている各種のクリック機構よりも大きく設定しておくことで、音や指の感覚で、釣人に対して制動力の変化を察知させることが可能となる。すなわち、従来のように、操作部材を多数、回転操作して制動力を調整する構成では、クリック音によって具体的な制動力変化の度合いを察知させることはできないが、本発明のように、操作部材の１回転以内で強制動域に到達させるような構成では、１つのクリック音が発生する角度を大きくすることで、クリック音毎に制動力の変化を察知させ易くすることが可能となる。
【００５０】
具体的には、１クリック音毎の制動力（釣糸の張力）の変化を１０ｇｆ〜５０ｇｆ、好ましくは２０ｇｆ〜３０ｇｆの範囲に設定しておくのがよい。すなわち、制動力の変化が１０ｇｆより小さくなると制動力の変化を感覚的に把握し難くなり、また、制動力の変化が５０ｇｆより大きくなると、操作部材の回転量に対する制動力変化が大きくなり過ぎてしまい、微妙な調整が難しくなるためである。実際には、上記の範囲内においても、制動力の変化の把握のし易さと調整操作のし易さの面から、２０ｇｆ〜３０ｇｆの範囲に設定しておくことで良好な評価が得られた。
【００５１】
以上のように構成された魚釣用リール（電動リール）を用いて落とし込み釣りを行なう場合、クラッチ機構をＯＦＦにしてスプールをフリー回転状態とし仕掛けを落下させ、仕掛けが所定の層（ベイト層）に近づいた段階で操作部材６０を回転操作する。上述したように、スプール７の回転に対する強制動状態（２５０ｇｆ以上の強制動域）に至るまでの操作部材６０の回転操作量は１回転範囲内に設定されているため、高速で落下している仕掛けに対して、操作部材の僅かな操作回転角度で直ちに所望の制動力（２５０ｇｆ以下の場合もある）を作用させ、その後、ゆっくり、かつスムーズに落下するような制動状態に移行することが可能となる。すなわち、高速落下することでベイト層に仕掛けを送り込むまでの時間が短く、かつ、ベイト層では、直ちに、ゆっくり、かつスムーズに仕掛けを落下させる状態に移行することが可能となる。そして、ベイト層では、仕掛けがゆっくり、かつ滑らかに落下することから、ベイトフィッシュを掛け易くすることができるとともに、安定した落下状態となることから、仕掛けに掛かったベイトフィッシュをばらすことも軽減され、そのままその下の大型魚が回遊する層に落下させて行くことができる。
【００５２】
また、強制動状態に至るまでの操作部材６０の回転操作量が１回転範囲内とされているため、釣人はこのような状態を感覚的に把握することが容易であり、仕掛けを投入する毎に、ベイトフィッシュが掛り易い状況を安定して再現することが可能となる。特に、最適な状態を目印の位置で把握しておくことで、仕掛けを投入する毎に一定の仕掛けの落下状態を得ることができる。
【００５３】
また、本実施形態では、上記したような制動力調整装置５０を電動リールに組み込んでいるため、実際に大型魚が掛かった際、操作部材６０を制動力ゼロに戻さなくても、そのまま駆動モータを回転駆動して仕掛けを巻き上げることが行える。
なお、手巻きする両軸受型リールでは、仕掛けを回収する際に、巻き取り操作が重くならないように、操作部材６０を制動力ゼロに戻すこともあるが、操作部材６０の回転は１回転以内であるため、操作が煩わしいこともない。
【００５４】
ところで、本実施形態では、操作部材６０を１８０°回転することで、強制動域に到達するように構成されていたが、３６０°以下であれば、その操作角度については特に限定されることはない。例えば、強制動域に到達するまでの操作角度を９０°〜１２０°程度にすることで、より操作性の向上が図れるようになる。この場合、操作部材６０の操作角度に関しては、操作角度を小さく設定しておくと調整の度合いが「粗」の状態となり、操作角度を大きく設定しておくと調整の度合いが「微」の状態となる。また、制動部５１に、摩擦力を向上するような材料や構造を用いることで強制動状態が得易いようにし、操作部材の僅かな回転角度で強制動域に到達させ易くすることができる（ただし、調整の度合いが「粗」の状態になると、仕掛けを停止する際の微妙な調整が難しくなる傾向となり、調整の度合いが「微」の状態になると、回転量が大きくなって直ちに強制動状態にする際の操作性が低下する傾向となる）。
【００５５】
本実施形態では、操作部材の操作角度を１８０°とし、１０°当たりの制動力の変化が１３．９ｇｆに設定されているが、１０°当たりの制動力の変化については、１０ｇｆ〜２０ｇｆとなるように設定しておくことが望ましい。また、図５に示すように、本実施形態の制動力の変化については、操作部材６０の回転と共に直線状に変化するようにしているが、３６０°以下の回転操作で強制動域に到達できるようになっていれば、制動力の変化の態様については限定されることはない。
【００５６】
以上、本発明の実施形態について説明したが、本発明は、上記した実施形態に限定されることは無く、種々変形することが可能である。
本発明は、電動リール以外の両軸受型リールに適用することが可能である。また、制動力調整装置は、スプールと共に連動回転する駆動軸部分に配設するものであれば良く、例えば、スプール軸、スプール軸と一体回転する回転部材（歯車等を含む）等に設置することが可能である。また、そのような駆動軸に対して制動力を付与する制動機構の構造（制動部の構造、操作部材の形状）についても適宜、変形することが可能である。さらに、操作部材は、３６０°以内の操作角度で強制動域に到達できるようになっていればよく、操作部材が回転可能な角度については３６０°以上あってもよい。
【符号の説明】
【００５７】
１  魚釣用リール
５  リール本体
５Ａ，５Ｂ  左右側板
７  スプール
８  駆動モータ
２０  レベルワインド装置
２２  ウォーム軸（駆動軸）
５０  制動力調整装置
５１  制動部
６０  操作部材
【図１】
2015226475.tif 000003
【図２】
2015226475.tif 000004
【図３】
2015226475.tif 000005
【図４】
2015226475.tif 000006
【図５】
2015226475.tif 000007